(57)【要約】【課題】水中において特殊な発泡挙動が示されるようにすることにより、集魚作用（さらにはエサトリ陣を突破する作用）が発揮される釣り環境をととのえることにより釣りを支援し、もって釣り人の釣りの成果を確実に高めることができるようにした発泡性組成物を提供することを主たる目的とする。【解決手段】噴射剤（Ａ）、有機溶剤（Ｂ）、水中においてガスを発生するガス発生性化合物（Ｃ）および系の粘度を増加させる増粘剤（Ｄ）からなる発泡性組成物（エアゾール）である。（Ａ），　（Ｂ），　（Ｃ），　（Ｄ）成分の好ましい組み合わせの例は、液化石油ガス（ＬＰＧ）、エタノール、過炭酸塩、ヒドロキシプロピルセルロースである。【選択図】　　なし【特許請求の範囲】
【請求項１】
噴射剤（Ａ）、有機溶剤（Ｂ）、水中においてガスを発生するガス発生性化合物（Ｃ）および系の粘度を増加させる増粘剤（Ｄ）からなることを特徴とする発泡性組成物。
【請求項２】
噴射剤（Ａ）が、常温常圧下ではガス状を呈する石油系または天然ガス系炭化水素であること、
有機溶剤（Ｂ）が、低級アルコールであること、
ガス発生性化合物（Ｃ）が、ペルオクソ基を有する化合物であること、
増粘剤（Ｄ）が、前記有機溶剤（Ｂ）に可溶でかつ水にも可溶である高分子であること、
の少なくとも１つを満たす請求項１記載の発泡性組成物。
【請求項３】
石油系または天然ガス系炭化水素が、液化石油ガス（ＬＰＧ）であること、
低級アルコールが、エタノールであること、
ペルオクソ基を有する化合物が、過炭酸塩または過酸化水素であること、
有機溶剤（Ｂ）に可溶でかつ水にも可溶である高分子が、ヒドロキシプロピルセルロースであること、
の少なくとも１つを満たす請求項２記載の発泡性組成物。
【請求項４】
（Ｂ），　（Ｃ）および（Ｄ）割合が、これらの合計量を１００重量％とするとき、それぞれ、５５〜９８重量％、１〜３５重量％、　０．１〜１０重量％であること、および、
組成物全体に占める噴射剤（Ａ）の割合が、エアゾール容器に充填した組成物を噴霧するに足る割合であること
を特徴とする請求項１記載の発泡性組成物。
【請求項５】
任意成分として、水溶性または水分散性高分子、界面活性剤、餌ないし誘引成分の少なくとも１つを含んでいる請求項１記載の発泡性組成物。
【請求項６】
エアゾール容器に充填されている請求項１記載の発泡性組成物。
【請求項７】
釣り支援用の発泡性組成物である請求項１記載の発泡性組成物。
【発明の詳細な説明】
【０００１】
【発明の属する技術分野】
本発明は、水中において発泡する組成物に関するものである。殊に、餌、疑似餌、その他の対象物に向けて噴射した後、それを水中に投入したときに、独特の発泡をして釣果を上げることのできる釣り支援用の発泡性組成物に関するものである。なお本明細書において、「魚」とは、魚類、軟体動物、甲殻類等を含む「釣り対象」を意味するものとする。
【０００２】
【従来の技術】
〈気泡を利用しての集魚〉
イカやチヌをはじめとする釣りの目的物は、気泡に惹き寄せられる性質がある。そこで、気泡を利用して集魚を図り、釣りの効率を上げようとする提案が種々なされている。
【０００３】
（その１）
その一つは、物理的ないし機械的手段を用いて水中で気泡を発生させるものであり、たとえば、次に例示するような出願が見られる。
【０００４】
（Ａ）特開２００２−１３１
疑似魚形状に形成された本体ケースからなるルアーにおいて、その本体ケース内に気体収容部を設け、その気体収容部に連接するバルブを開くことにより気体を放出し、水中で気泡を発生させるようにしたルアー。
【０００５】
（Ｂ）特開平１０−１３６９１１号公報
高圧ガスを気泡状に閉じ込めた水溶性物質を集魚剤として、そのまま、あるいは釣りに用いる撒き餌に配合して、水に投入すると弾けるような音の発する特徴を持たせた、釣りに用いる撒き餌。
【０００６】
（その２）
他の一つは、化学的反応により気泡を発生させるようにしたものであり、以下に例示するような出願が見られる。
【０００７】
（イ）特開２００１−８６９１２
水中にて発泡する発泡剤と水に溶解しない微粒子とを混合固化してなる集魚用撒餌。たとえば、水中にてＣＯ２を発生する化学反応を生じるアルカリ性粉末（炭酸水素ナトリウムや炭酸ナトリウム）および酸性粉末（フマル酸やコハク酸）を発泡剤として用い、錠剤状にしたもの。
【０００８】
（ロ）特開平９−６５８０７号公報
軸の少なくとも一方が出るようにその周囲に任意の炭酸塩（炭酸水素ナトリウムや炭酸ナトリウム）と任意の酸（コハク酸やフマル酸）の混合物を任意の形に固着した遠投用発泡具。
【０００９】
（ハ）特開平５−１９２０６３号公報
粉末処理した餌材と、水の存在下に反応して発泡する粉末状の発泡反応剤とを混合し、これを打錠化した魚釣り用発泡撒き餌。発泡反応剤の例は、炭酸ナトリウムと有機酸（コハク酸、フマル酸、酒石酸、クエン酸等）とからなるもの。
【００１０】
〈疑似餌表面への添着処理〉
疑似餌に添着して、集魚を図りまたは釣り効率を向上させる提案もなされている。
【００１１】
たとえば、特開２００２−５１７６０には、（ｉ）揮発性溶剤８９．０〜　９９．８９９重量％、蛍光増白剤　０．００１〜　１．０重量％、魚の好む摂餌成分　０．１〜１０．０重量％とから成る疑似餌用の展着液、または、（ｉｉ）揮発性溶剤６９．０〜　９９．８９９重量％、蛍光増白剤　０．００１〜　１．０重量％、シリコーン樹脂　１．０〜２０．０重量％またはフッ素樹脂　１．０〜２０．０重量％、魚の好む摂餌成分　０．１〜１０．０重量％とから成る疑似餌用の展着液が、示されている。
【００１２】
【発明が解決しようとする課題】
気泡を利用して集魚を図る方法のうち、物理的ないし機械的手段を用いて水中で気泡を発生させる上記（その１）の方法は、ハンドリングやコストの点で、実際には適用しうる場が少ない。しかも、このようにして発生させた泡は、経験則によれば、集魚効果の点でおのずから限界があるようである。
【００１３】
気泡を利用して集魚を図る方法のうち、化学的反応により気泡を発生させる上記（その２）の方法は、炭酸塩（または炭酸水素塩）と酸による化学反応を利用して炭酸ガスを発生させるものである。しかしながら、この方法によれば気泡を発生させることはできるものの、経験則上、集魚効果の点でおのずから限界があるようである。
【００１４】
疑似餌表面への添着処理を図る方法も、疑似餌の近くにいる魚に対してはともかく、離れた距離にいる魚にまでは効果が及ばないようである。
【００１５】
すなわち、上記（その１）や（その２）の方式により発生させた泡は、視覚的な集魚作用と、泡破裂時の音に基く集魚作用を有するものと考えられるが、それらの集魚効果は期待するほどには大きくはないものと思われる。また、疑似餌に対する添着処理では、遠隔的な集魚作用はそれほど期待はできないものと思われる。
【００１６】
さて、どの程度の釣果をあげることができるかは、あくまで釣りをする人の戦略（構想）、腕、経験などのノウハウに依存するが、それらを総合した釣り人の力量がさらに増幅され、釣果の点で数倍の成果をあげることができれば、釣りの興趣はさらに高まることになる。
【００１７】
本発明は、このような背景下において、水中において特殊な発泡挙動が示されるようにすることにより、集魚作用（さらにはエサトリ陣を突破する作用）が発揮される釣り環境をととのえることにより釣りを支援し、もって釣り人の釣りの成果を確実に高めることができるようにした発泡性組成物を提供することを主たる目的とするものである。
【００１８】
【課題を解決するための手段】
本発明の発泡性組成物は、噴射剤（Ａ）、有機溶剤（Ｂ）、水中においてガスを発生するガス発生性化合物（Ｃ）および系の粘度を増加させる増粘剤（Ｄ）からなることを特徴とするものである。
【００１９】
【発明の実施の形態】
以下本発明を詳細に説明する。
【００２０】
〈必須成分〉
本発明の発泡性組成物の必須成分は、上述のように、噴射剤（Ａ）、有機溶剤（Ｂ）、水中においてガスを発生するガス発生性化合物（Ｃ）、および系の粘度を増加させる増粘剤（Ｄ）である。
【００２１】
（噴射剤（Ａ））
噴射剤（Ａ）としては、常温常圧下ではガス状を呈する石油系または天然ガス系炭化水素があげられる。これらは、プロパン、プロピレン、ブタン、ブチレンののような炭素数３〜４の炭化水素が主体である。特に、液化石油ガス（ＬＰＧ）が本発明の目的に最も適している。
【００２２】
噴射剤（Ａ）としては、窒素ガス、炭酸ガスに代表される圧縮ガスも用いることができる。なお、この場合には、容器内では圧縮ガスの全部または大部分が原液と混合せずに原液の上部から圧力を加えるように作用するが、噴射時には混合状態となるので、「組成物」に含まれるものとする。
【００２３】
噴射剤（Ａ）としては、一般にフッ化炭化水素（商品名「フレオン」ガス）やジメチルエーテルも知られている。しかしながら、フッ化炭化水素は、使用上の制限があるので使用を避けるべきであろう。ジメチルエーテルを使用したときには、気泡発生性が不充分となるので、これらは単独で用いることは適当とは言えない。なお、炭化水素であっても、常温常圧下で液状のヘキサンになると気泡発生性が不充分となる。従って、もしジメチルエーテルやヘキサンを用いるときは、たとえば、上記の常温常圧下ではガス状を呈する石油系または天然ガス系炭化水素に少量を混合する形で併用するようにする。
【００２４】
（有機溶剤（Ｂ））
有機溶剤（Ｂ）としては、メタノール、エタノール、イソプロパノールなどの低級アルコールが適当であり、特にエタノールが最適である。メタノールやイソプロパノールを用いるときは、エタノールに少量割合を混合して使う方が好ましい。
【００２５】
低級アルコールのほかに、ケトン系、エーテル系、エステル系、セロソルブ系、芳香族炭化水素系などの他の有機溶剤を用いることも可能ではあるが、その場合も、低級アルコール、ことにエタノールに少量割合を混合して使う方が好ましい。
【００２６】
（ガス発生性化合物（Ｃ））
ガス発生性化合物（Ｃ）としては、水中においてガスを発生する化合物が用いられる。ガス発生性化合物（Ｃ）として好ましいものは、ペルオクソ酸またはその塩あるいは過酸化水素のようなペルオクソ基を有する化合物、特に過炭酸塩（ペルオクソ炭酸塩）または過酸化水素であり、特に過炭酸ナトリウムや過炭酸カリウムのような過炭酸塩が最適である。ペルオクソ基を有する化合物を用いたときには、水中で酸素を発生する。たとえば、過炭酸塩は、水分と接触すると急速に分解して炭酸水素塩と酸素とになる。過酸化水素の場合には、水中に特に有機性物質があると、酸素の発生が促進される。
【００２７】
従来技術の箇所で述べたような炭酸塩または炭酸水素塩と酸との組み合わせによる炭酸ガスの発生方式も適用可能ではあるが、上記の酸素発生方式の方が、気泡の微細さや集魚性の点ですぐれている。
【００２８】
（増粘剤（Ｄ））
増粘剤（Ｄ）としては、系の粘度を増加させる増粘性または揺変性物質（つまりチクソトロピー性付与剤）があげられ、有機物であっても無機物であってもよい。
【００２９】
増粘剤（Ｄ）の中で好ましいものは、上記の有機溶剤（Ｂ）（特にエタノール）に可溶でかつ水にも可溶である高分子であり、本発明の目的には、特にヒドロキシプロピルセルロースが最適である。ヒドロキシエチルセルロースは、エタノールなどの有機溶剤に溶解するほか、被膜形成能力がすぐれており、その被膜は強靭でかつ柔軟性がある。ヒドロキシプロピルセルロースのほか、ポリビニルピロリドン、エチルセルロース、ニトロセルロース、ポリエチレンオキサイド、ポリアクリル酸ソーダなども用いることができる。これらの有機溶剤（Ｂ）（特にエタノール）に可溶でかつ水にも可溶である高分子は、２種以上を併用することもできる。
【００３０】
〈任意成分〉
本発明の組成物は、任意成分として、水溶性または水分散性高分子（Ｅ）、界面活性剤（Ｆ）、餌ないし誘引成分（Ｇ）の少なくとも１つを含んでいることも好ましい。
【００３１】
（水溶性または水分散性高分子（Ｅ））
水溶性または水分散性高分子（Ｅ）としては、デンプン、デキストラン、プルラン、カードラン、ザンタンガム、アラビアゴム、トラガントゴム、アルギン酸、メチルセルロース、ヒドロキシエチルセルロース、ゼラチン、カゼイン、ニカワ、カルボキシビニルポリマー、ポリビニルアルコール、ポリアクリルアミドをはじめとする植物、動物、微生物由来のものあるいは合成によるものがあげられる（アルカリ金属塩型のものもある）。先に、増粘剤（Ｄ）の例としてあげた有機溶剤（Ｂ）に可溶でかつ水にも可溶である高分子は、水溶性高分子ではあるが、必須成分としている。そこで、ここに言う任意成分としての水溶性または水分散性高分子（Ｅ）は、増粘剤（Ｄ）に含まれるもの以外の他の高分子であるとする。水溶性または水分散性高分子（Ｅ）の存在は、気泡の大きさの制御の点で有利に作用する。
【００３２】
（界面活性剤（Ｆ））
界面活性剤（Ｆ）としては、パーフルオロアルキル基を含有するアニオン性、カチオン性、両性、ノニオン性のフッ素系界面活性剤；ジメチルシリコーンオイル、メチル基のほかに炭素数２以上のアルキル基やフェニル基を有するアルキル変性またはアラルキル変性シリコーンオイル、高級脂肪酸変性シリコーンオイル、アルコール変性シリコーンオイル、ポリエーテル変性シリコーンオイル、アミノ変性シリコーンオイル、エポキシ変性シリコーンオイル、メチルハイドロジェンシリコーンオイルのようなシリコーン系界面活性剤；の如き界面活性作用を有する化合物が、好適なものとしてあげられる。これらのフッ素系界面活性剤やシリコーン系界面活性剤のほか、他の種類のアニオン性、カチオン性、両性、ノニオン性の界面活性剤も使用することができる。界面活性剤（Ｆ）の存在は、噴射された組成物の餌木などの対象物への密着性ないし被膜形成性の点で有利に作用する。
【００３３】
（餌ないし誘引成分（Ｇ））
餌ないし誘引成分（Ｇ）としては、餌成分、栄養成分、アミノ酸、フレーバ、誘引剤、魚類成長促進剤、着色剤、発光成分などがあげられる。餌ないし誘引成分（Ｇ）の存在は、近くに寄ってきた魚の注意を惹く点で有利に作用する。
【００３４】
〈配合割合〉
必須成分を構成する（Ｂ），　（Ｃ）および（Ｄ）の各成分の割合は、各成分の種類によっても異なるのでそれに応じて適切な範囲を実験的に定めるべきであるが、これらの合計量を１００重量％とするとき、それぞれ、５５〜９８重量％（殊に６０〜９５重量％）、１〜３５重量％（殊に２〜３０重量％）、　０．１〜１０重量％（殊に　０．２〜８重量％）とすることが多い。このような範囲において、本発明の目的にとって最適のバランスが図られるからである。
【００３５】
上記任意成分の割合は、噴射剤（Ａ）を除く組成物全体を１００重量％とするとき、水溶性または水分散性高分子（Ｅ）の割合が、たとえば、０〜１０重量％（殊に　０．２〜５重量％）、界面活性剤（Ｆ）の割合が０〜１０重量％（殊に　０．１〜８重量％）、餌ないし誘引成分（Ｇ）の０〜１５重量％（殊に　０．１〜１０重量％）とすることができ、これらの任意成分の合計量が２５重量％以下（殊に２０重量％以下、さらには１５重量％以下）に設定することが多い。これら任意成分の過多は、発泡性を阻害し、本発明の目的を損なうことがあるからである。
【００３６】
組成物全体に占める噴射剤（Ａ）の割合は、エアゾール作製技術の常法に従い、エアゾール容器に充填した組成物を噴霧するに足る割合に設定する。
【００３７】
〈エアゾール〉
本発明の発泡性組成物は、エアゾール容器に充填され、エアゾールの形態で製品とされる。
【００３８】
〈使用方法、対象物〉
本発明の組成物は、釣り支援用の発泡組成物として特に有用である。このときには、エアゾールとして対象物に向けて噴霧する。対象物としては、疑似餌（たとえば、ルアー、フライ、イカ釣り用の餌木、イカやタコ釣り用のイカヅノ、ツノ・カグラ・サビキ、ビニールベイト等）、餌（撒き餌、サシ餌等）などがあげられる。そのほか、モール、不織布をはじめとする任意の材料に適用して、これを水中に投入することにより集魚を図ることもできる。
【００３９】
釣りの対象とする魚（釣り対象）としては、イカ、チヌ、ブラックバスをはじめ、海水魚、淡水魚を問わない。
【００４０】
〈作用〉
本発明の発泡組成物を用いたときには、発泡が２段で進む。
１．すなわち、第１段においては、この組成物を噴霧した対象物を水中に投入すると、対象物表面にて液化石油ガス（ＬＰＧ）等の噴射剤（Ａ）とエタノール等の有機溶剤（Ｂ）とにより激しい発泡を生じて比較的大きい泡が生じ、この状態がたとえば１０〜３０秒ほど続く。
２．第１段の泡がなくなった頃に、第２段として、過炭酸塩等のガス発生性化合物（Ｃ）が反応を開始し、微細な気泡が発生しては破裂する状態がたとえば２０分とか３０分とかいうように相当時間続く。増粘剤（Ｄ）は、ガス発生性化合物（Ｃ）の分散および気泡の持続性に貢献している。泡がなくなっても、餌木などの対象物をしゃくる操作を行うと、しゃくるごとにしばらくの間は再び泡が出てくる。そして、第２段の発泡により生ずる気泡の直径については、たとえば２μｍ前後またはそれ以下大きさのものが相当割合を占めるので、その微細気泡が潰れるときに超音波が発生する。
【００４１】
結局、本発明の発泡組成物を用いたときの釣り支援は、次のような作用により発揮されるということができる。
１．第１段の発泡により水面近くにいるエサトリ（目的外の魚）は近寄って来ないという作用が発揮される。すなわち、本発明の発泡組成物を吹きつけた対象物は、最初の関門であるエサトリ陣を突破し、もっと深いところの目的魚に対して集魚作用を発揮する。
２．第１段の泡の発生と破裂、および、第２段の泡の発生と破裂が、視覚的および聴覚的に集魚作用を発揮する。泡が潰れるときには、瞬間的に微光も発せられるようである。
３．第２段の微細気泡が潰れるときに超音波が発生し、有効な遠隔的な集魚作用を発揮する。
４．組成物中に適量の水溶性または水分散性高分子（Ｅ）を含むときは、第２段の微細気泡の形成に貢献し、集魚効果が高まる。
５．組成物中に適量の界面活性剤（Ｆ）を含むときは、対象物に対する組成物の密着性ないし被膜形成性が高まるので、持続性に富むものとなり、集魚効果に貢献する。
６．組成物中に餌ないし誘引成分（Ｇ）を含むときは、対象物に付着した該成分により、近接的な集魚作用が発揮される。
【００４２】
【実施例】
次に実施例をあげて本発明をさらに説明する。以下「部」、「％」とあるのは、重量基準で表わしたものである。
【００４３】
実施例１〜６
有機溶剤（Ｂ）、ガス発生性化合物（Ｃ）、増粘剤（Ｄ）、水溶性または水分散性高分子（Ｅ）、界面活性剤（Ｆ）、餌ないし誘引成分（Ｇ）として、下記のものを用いた。
【００４４】
必須成分
（Ｂ）：エタノール
（Ｃ）：過炭酸ナトリウム
（Ｄ）ヒドロキシプロピルセルロース
任意成分
（Ｅ）：コーンスターチ
（Ｆ）：フッ素系界面活性剤（２種の混合物）
（Ｇ）：アミノ酸
【００４５】
処方を表１に示す。表１中の数値は「％」であり、必須成分である（Ｂ），　（Ｃ），　（Ｄ）と任意成分である（Ｅ），　（Ｆ），　（Ｇ）の合計が１００％である。過炭酸ナトリウムは、系に分散しているだけで、溶解はしていない。
【００４６】
【表１】　　　　　　　　　　　　　　　　　　　　　　　　　　　　　　　　　　
2004008032.tif 000002
【００４７】
このようにして得た実施例１〜６の処方の組成物と、噴射剤（Ｂ）の一例としての液化石油ガス（ＬＰＧ）とを、重量比１：１の割合でエアゾール容器に充填し、エアゾールを作製した。
【００４８】
このエアゾールをイカ釣り用の餌木に吹き付けてから、その餌木を海水中に投入したところ、まず激しい発泡が１５〜２０秒間生ずる第１段の発泡が見られ、ついで気泡がだんだんと小さくなり、微細気泡が生じては破裂していく第２段の発泡が２０分ほど続いた。第２段の発泡が終わった後も、餌木をしゃくるごとに２〜３分間は再び微細な気泡が生じては破裂する状態が数回続いた。
【００４９】
〈イカ釣り例１〉
５名の釣り人により、各人の所有する餌木に上記のエアゾールを吹きつけた場合と吹きつけない場合とについて、所定の時間内における実際のイカ釣りの成果（アカイカとスルメの合計）を比較した。条件および結果を表２に示す。
【００５０】
【表２】
　　釣り人　組成物の処方　釣果（ハイ）
　　　１　　　実施例１　　　　６７
２　　　実施例２　　　　１０３
　３　　　実施例３　　　　８８
　　　４　　　使用せず　　　　１４
　５　　　使用せず　　　　２４
　　・釣り人１〜３の平均釣果：８６ハイ
・釣り人４〜６の平均釣果：１９ハイ
【００５１】
〈イカ釣り例２〉
５名の釣り人（うち２人は表１の釣り人と共通）により、各人の所有する餌木に上記のエアゾールを吹きつけた場合と吹きつけない場合とについて、上記とは別の日に所定の時間内における実際のイカ釣りの成果（アカイカとスルメの合計）を比較した。条件および結果を表３に示す。
【００５２】
【表３】
　　釣り人　組成物の処方　釣果（ハイ）
　　　４　　　実施例１　　　　６５
６　　　実施例３　　　　８２
　７　　　実施例４　　　　７１
　　　２　　　使用せず　　　　３２
８　　　使用せず　　　　１０
　９　　　使用せず　　　　１５
　　・釣り人４，６，７の平均釣果：７３ハイ
・釣り人２，８，９の平均釣果：１９ハイ
【００５３】
表２でトップの釣果をおさめた釣り人２は、ベテランと目されているが、表３の餌木のみを用いた人同士の対比ではやはりトップの釣果を得ている。表２の釣り人４は、参加した人の中では最もイカ釣りの経歴が短いが、表３のように組成物を吹きつけた餌木を用いたときには、良い釣果をおさめている。
【００５４】
〈小魚と大魚の混在系〉
大きな水槽に多数の小さな魚と大きな魚を入れておいたところ、小魚は表面近くに、大魚は底の方に集まる傾向があった。この状態で、疑似餌に上記実施例の組成物を吹きつけて水槽内に投入して気泡を発生させたところ、小魚は逃げ、大魚は近寄ってくる傾向が見られた。
【００５５】
〈チヌ釣り〉
実際のチヌ釣りの場においても、オキアミを使ったサシ餌に上記実施例の組成物を吹きつけたときは、その組成物を吹きつけない場合に比し、フグなどのエサトリがかかる事態が著減し、かつ目的魚の釣果も２〜５倍程度の差があった。
【００５６】
〈ブラックバス〉
ブラックバス釣り用のルアーを湖水中に投げ入れたときは、ブラックバスの集魚効果はほとんど見られなかったが、ルアーに上記実施例の組成物を吹きつけたときは、明らかにブラックバスが集まってくるのが船上から目視できた。
【００５７】
【発明の効果】
本発明の発泡性組成物は、水中において特殊な発泡挙動を示されるので、集魚作用（さらにはエサトリ陣を突破する作用）が発揮される釣り環境をととのえることができる。そのため、釣り人の釣りの成果を確実に高めることができる。